(57)【要約】【課題】本発明はガス蓄圧器を切り換えることで他のガス蓄圧器の圧力が低下してガス補給に時間がかかることを課題とする。【解決手段】ガス供給装置１０は、大略、高圧に圧縮されたガスを貯蔵するガス貯蔵部１４と、ガス貯蔵部１４からのガスを燃料タンク１２に供給するためのディスペンサユニット１５と、これらディスペンサユニット１５の各機器を制御する制御装置１６とを有する。制御装置１６のメモリ４８には、制御弁１６、ガス供給開閉弁２４、元弁６６、元弁６８の開弁または閉弁を制御する制御プログラムと、予め設定された上記充填時間間隔の規定時間が格納されている。また、制御装置１６は、前回行われたガス供給終了時刻から今回のガス供給開始時刻までの時間間隔を求め、演算された時間間隔に基づき切換手段によるガス蓄圧器の切換タイミングでの切り換えを禁止する。【選択図】図１
2007120571.tif 000002
【特許請求の範囲】
【請求項１】
コンプレッサにより圧縮されたガスが貯蔵された複数のガス蓄圧器と、
該複数のガス蓄圧器とガスが供給される被供給体との間を連通するガス供給経路と、
前記複数のガス蓄圧器とガス供給経路との間に設けられ、前記複数のガス蓄圧器のうち一のガス蓄圧器と他のガス蓄圧器との何れか一方と前記ガス供給経路とを連通するように切り換える切換手段と、
前記ガス供給経路を流れる供給量を測定する流量測定部と、
前記被供給体に供給されるガス供給圧力を測定する圧力測定部と、
前記流量測定部により測定された供給量または前記圧力測定部により測定された圧力が、予め定められた充填終了の目標値になるようにガス供給量を制御する制御手段と、
被供給体へのガスの供給初期においては前記一のガス蓄圧器と前記ガス供給経路とを連通することにより当該被供給体へのガスの供給を行い、その後前記ガス供給経路との連通を前記一のガス蓄圧器から前記他のガス蓄圧器に切り換えるように前記切換手段を制御する切換制御手段と、
を有するガス供給装置において、
前記切換制御手段は、
前回行われたガス供給から今回のガス供給までの時間間隔を求める時間間隔演算手段と、
該時間間隔演算手段により演算された時間間隔に基づき前記切換手段によるガス蓄圧器の切換タイミングでの切り換えを禁止する切換禁止手段と、
を有することを特徴とするガス供給装置。
【請求項２】
前記切換禁止手段は、
前記時間間隔が予め設定された第１の規定時間以上の場合には、前記切換タイミングでの切り換えを禁止する第１の切換禁止手段であることを特徴とする請求項１に記載のガス供給装置。
【請求項３】
前記切換禁止手段は、
前記時間間隔が予め設定された第２の規定時間未満の場合には、前記切換タイミングでの切り換えを禁止する第２の切換禁止手段であることを特徴とする請求項１に記載のガス供給装置。
【請求項４】
前記切換禁止手段は、
前記時間間隔が予め設定された第１の規定時間以上の場合には、前記切換タイミングでの切り換えを禁止する第１の切換禁止手段と、
前記時間間隔が予め設定された第２の規定時間未満の場合には、前記切換タイミングでの切り換えを禁止する第２の切換禁止手段とを有し、前記第1の規定時間は前記第２の規定時間よりも長く設定されていることを特徴とする請求項１に記載のガス供給装置。
【請求項５】
前記切換禁止手段は、
前記時間間隔が予め設定された第１の規定時間以上の場合には、前記流量測定部により測定された流量が所定流量以下に減少した時点で前記切換手段によりガス蓄圧器の切り換えを行い、また、前記時間間隔が当該第１の規定時間未満の場合には、前記流量測定部により測定された流量が所定流量未満に減少しても前記切換手段によるガス蓄圧器の切り換えを禁止することを特徴とする請求項１または請求項２に記載のガス供給装置。
【請求項６】
コンプレッサにより圧縮されたガスが貯蔵された複数のガス蓄圧器と、
該複数のガス蓄圧器とガスが供給される被供給体との間を連通するガス供給経路と、
前記複数のガス蓄圧器とガス供給経路との間に設けられ、前記複数のガス蓄圧器のうち一のガス蓄圧器と他のガス蓄圧器との何れか一方と前記ガス供給経路とを連通するように切り換える切換手段と、
前記ガス供給経路を流れる供給量を測定する流量測定部と、
前記被供給体に供給されるガス供給圧力を測定する圧力測定部と、
前記流量測定部により測定された供給量または前記圧力測定部により測定された圧力が、予め定められた充填終了の目標値になるようにガス供給量を制御する制御手段と、
被供給タンクへのガスの供給初期においては前記一のガス蓄圧器と前記ガス供給経路とを連通することにより当該被供給タンクへのガスの供給を行い、その後前記ガス供給経路との連通を前記一のガス蓄圧器から前記他のガス蓄圧器に切り換えるように前記切換手段を制御する切換制御手段と、
を有するガス供給装置において、
前記切換制御手段は、
前記コンプレッサが駆動されているか否かの駆動状態を検出するコンプレッサ駆動状態検出手段と、
該コンプレッサ駆動状態検出手段により当該コンプレッサが駆動されていないことが検出されている場合には、当該コンプレッサが駆動している状態における切換タイミングでの切り換えを禁止する切換禁止手段と、
からなることを特徴とするガス供給装置。
【発明の詳細な説明】
【技術分野】
【０００１】
本発明はガス供給装置に係り、特に複数のガス蓄圧器のうち何れか一つとガス供給経路とを連通するように切り換えて被供給体へのガス供給を制御するガス供給装置に関する。
【背景技術】
【０００２】
天然ガスを圧縮した圧縮天然ガス（ＣＮＧ）を燃料にして走行する自動車（ＣＮＧ車）の開発と共に圧縮天然ガスを自動車の燃料タンクに供給するガス供給装置の実用化が進められている。この種のガス供給装置では、圧縮されたガスをガス蓄圧器に貯蔵しておき、ガス充填ホースの接続カップリングをＣＮＧ車の接続カップリングに接続し、ガス充填ホースの先端部に連通された三方弁を切り換え操作することによりガス蓄圧器に貯蔵されたガスをＣＮＧ車の燃料タンクに充填するように構成されている。
【０００３】
そして、従来のガス供給装置では、充填側カップリングと被充填側カップリングとを結合させた後、ガス充填ホースを介して所定圧力のガスを燃料タンクに供給し、圧力検出器により計測された圧力計測値が予め設定された目標圧力値に達したとき制御弁を閉弁させてガス充填を完了している（例えば、特許文献１参照）。
【０００４】
この種のガス供給装置では、上記ガス蓄圧器から燃料タンクへのガス供給は、流量及び圧力を制御する制御弁を開弁させてガス蓄圧器の圧力と燃料タンクの充填圧力との圧力差により行なわれるため、圧力差が縮まるに連れて供給されるガスの瞬時流量が減少し、ガスの瞬時流量が低下すればするほど燃料タンクへのガス充填時間が長くなることになる。
【０００５】
そこで、上記ガス供給装置ではガス充填時間が長くならないようにするために、ガスを供給する供給元として複数のガス蓄圧器（可変圧ガス蓄圧器、高圧ガス蓄圧器）が設けられている。この場合のガス供給装置の動作は次のとおりである。まず、可変圧ガス蓄圧器から燃料タンクにガスを供給することにより燃料タンクへのガスの供給を開始する。燃料タンクへのガスの供給が進行し、可変圧ガス蓄圧器内のガスの圧力と燃料タンク内のガスの圧力との差（圧力差）が小さくなりガスの瞬時流量が所定以下に低下した際に、可変圧ガス蓄圧器からのガス供給を停止させた後、他方の高圧ガス蓄圧器から燃料タンクに供給するようにガス供給経路を切り換える。続いて、燃料タンクの圧力が目標圧力に達したとき、高圧ガス蓄圧器からのガス供給を停止させる。
【０００６】
また、燃料タンクへのガス充填が完了すると、各ガス蓄圧器にコンプレッサにより圧縮されたガスが補充され、各ガス蓄圧器の圧力が所定圧に昇圧されて、次回のガス充填準備処理が行われる。
【特許文献１】特開平８−６８４９７号公報
【発明の開示】
【発明が解決しようとする課題】
【０００７】
しかしながら、圧力が低下したガス蓄圧器の圧力をコンプレッサにより昇圧させるには、時間がかかり、特にガス蓄圧器の充填圧力が高い場合には、コンプレッサによる圧縮工程により生成された高圧ガス量が減少してより高い圧力に昇圧させるのに時間が長くかかる。
【０００８】
そのため、可変圧ガス蓄圧器からのガス供給の後、高圧ガス蓄圧器によるガス供給に切り換えてしまうと、次回のガス供給の際に、高圧ガス蓄圧器が圧力不足になるおそれがあり、例えば、ガス供給を受ける車両が複数台連続して到着した場合には、コンプレッサによる高圧ガス蓄圧器へのガス補給時間が短くなってしまい、２台目以降の車両の燃料タンクに供給されるガスの圧力上昇率が鈍化して目標圧力に達するまでのガス供給時間が余計にかかるといった問題が生じる。
【０００９】
また、車両の燃料タンクへのガス供給を全て可変圧ガス蓄圧器からのガス供給のみで行うには、圧力不足になったり、ガス供給時間が大幅に延長されてしまうという問題が生じる。
【００１０】
そこで、本発明は上記課題を解決したガス供給装置を提供することを目的とする。
【課題を解決するための手段】
【００１１】
上記課題を解決するため、本発明は以下のような手段を有する。
【００１２】
請求項１の発明は、コンプレッサにより圧縮されたガスが貯蔵された複数のガス蓄圧器と、
該複数のガス蓄圧器とガスが供給される被供給体との間を連通するガス供給経路と、
前記複数のガス蓄圧器とガス供給経路との間に設けられ、前記複数のガス蓄圧器のうち一のガス蓄圧器と他のガス蓄圧器との何れか一方と前記ガス供給経路とを連通するように切り換える切換手段と、
前記ガス供給経路を流れる供給量を測定する流量測定部と、
前記被供給体に供給されるガス供給圧力を測定する圧力測定部と、
前記流量測定部により測定された供給量または前記圧力測定部により測定された圧力が、予め定められた充填終了の目標値になるようにガス供給量を制御する制御手段と、
被供給体へのガスの供給初期においては前記一のガス蓄圧器と前記ガス供給経路とを連通することにより当該被供給体へのガスの供給を行い、その後前記ガス供給経路との連通を前記一のガス蓄圧器から前記他のガス蓄圧器に切り換えるように前記切換手段を制御する切換制御手段と、
を有するガス供給装置において、
前記切換制御手段は、
前回行われたガス供給から今回のガス供給までの時間間隔を求める時間間隔演算手段と、
該時間間隔演算手段により演算された時間間隔に基づき前記切換手段によるガス蓄圧器の切換タイミングでの切り換えを禁止する切換禁止手段と、
を有することを特徴とする。
【００１３】
請求項２の発明は、前記切換禁止手段は、
前記時間間隔が予め設定された第1の規定時間以上の場合には、前記切換タイミングでの切り換えを禁止する第１の切換禁止手段であることを特徴とする。
【００１４】
請求項３の発明は、前記切換禁止手段は、
前記時間間隔が予め設定された第２の規定時間以上の場合には、前記切換タイミングでの切り換えを禁止する第２の切換禁止手段であることを特徴とする。
【００１５】
請求項４の発明は、前記切換禁止手段は、
前記時間間隔が予め設定された第1の規定時間以上の場合には、前記切換タイミングでの切り換えを禁止する第１の切換禁止手段と、
前記時間間隔が予め設定された第２の規定時間未満の場合には、前記切換タイミングでの切り換えを禁止する第２の切換禁止手段と、
を有することを特徴とする。
【００１６】
請求項５の発明は、前記切換禁止手段は、
前記時間間隔が予め設定された第１の規定時間以上の場合には、前記流量測定部により測定された流量が所定流量以下に減少した時点で前記切換手段によりガス蓄圧器の切り換えを行い、また、前記時間間隔が当該第１の規定時間未満の場合には、前記流量測定部により測定された流量が所定流量未満に減少しても前記切換手段によるガス蓄圧器の切り換えを禁止することを特徴とする。
【００１７】
請求項６の発明は、コンプレッサにより圧縮されたガスが貯蔵された複数のガス蓄圧器と、
該複数のガス蓄圧器とガスが供給される被供給体との間を連通するガス供給経路と、
前記複数のガス蓄圧器とガス供給経路との間に設けられ、前記複数のガス蓄圧器のうち一のガス蓄圧器と他のガス蓄圧器との何れか一方と前記ガス供給経路とを連通するように切り換える切換手段と、
前記ガス供給経路を流れる供給量を測定する流量測定部と、
前記被供給体に供給されるガス供給圧力を測定する圧力測定部と、
前記流量測定部により測定された供給量または前記圧力測定部により測定された圧力が、予め定められた充填終了の目標値になるようにガス供給量を制御する制御手段と、
被供給タンクへのガスの供給初期においては前記一のガス蓄圧器と前記ガス供給経路とを連通することにより当該被供給タンクへのガスの供給を行い、その後前記ガス供給経路との連通を前記一のガス蓄圧器から前記他のガス蓄圧器に切り換えるように前記切換手段を制御する切換制御手段と、
を有するガス供給装置において、
前記切換制御手段は、
前記コンプレッサが駆動されているか否かの駆動状態を検出するコンプレッサ駆動状態検出手段と、
該コンプレッサ駆動状態検出手段により当該コンプレッサが駆動されていないことが検出されている場合には、当該コンプレッサが駆動している状態における切換タイミングでの切り換えを禁止する切換禁止手段と、
からなることを特徴とする。
【発明の効果】
【００１８】
本発明によれば、前回行われたガス供給から今回のガス供給までの時間間隔を求める時間間隔演算手段により演算された時間間隔に基づき切換手段によるガス蓄圧器の切換タイミングでの切り換えを禁止するため、例えば、一のガス蓄圧器による被供給体へのガス供給をなるべく延長し、他のガス蓄圧器への切り換えをなるべく行わないことで他のガス蓄圧器の圧力低下を極力防止でき、これにより、コンプレッサによる他のガス蓄圧器へのガス補給不足を招くことを防止できる。さらに、他のガス蓄圧器からのガス供給時間をできるだけ短縮し、他のガス蓄圧器の圧力を短時間で所定圧力に昇圧させることが可能になる。
【００１９】
また、本発明によれば、コンプレッサ駆動状態検出手段により当該コンプレッサが駆動されていないことが検出されている場合には、当該コンプレッサが駆動している状態における切換タイミングでの切り換えを禁止するため、上記と同様な作用、効果が得られる。
【発明を実施するための最良の形態】
【００２０】
以下、図面と共に本発明を実施するための最良の形態について説明する。
【実施例１】
【００２１】
図１は本発明になるガス供給装置の一実施例を示す概略構成図である。図１に示されるように、ガス供給装置１０は、例えば自動車の燃料タンク（被供給体）１２に圧縮したガスを供給するガス供給ステーションなどに設置されている。尚、供給されるガスとしては、水素に限らず、圧縮天然ガスなどの高圧に圧縮されて使用される他のガスを含む。
【００２２】
ガス供給装置１０は、大略、高圧に圧縮されたガスを貯蔵するガス貯蔵部１４と、ガス貯蔵部１４からのガスを燃料タンク１２に供給するためのディスペンサユニット１５と、これらディスペンサユニット１５の各機器を制御する制御装置１６とを有する。
【００２３】
ガス貯蔵部１４は、ガス圧力源として可変圧ガス蓄圧器６２と高圧ガス蓄圧器６４とを有する。可変圧ガス蓄圧器６２及び高圧ガス蓄圧器６４には後述のコンプレッサ（圧縮機）７０より供給された高圧のガスが貯蔵される。また、可変圧ガス蓄圧器６２及び高圧ガス蓄圧器６４は燃料タンク１２の目標充填圧力よりも高い圧力のガスが蓄圧されるまでコンプレッサ７０よりガスが供給されるようになっている。
【００２４】
可変圧ガス蓄圧器６２から高圧ガス蓄圧器６４への切り換えタイミングは、制御装置１６によって制御しており、ここでは、ガス蓄圧器の切り換えの概略について説明し、詳細は後述する。
【００２５】
充填開始当初は、可変圧ガス蓄圧器６２の元弁６６が開弁されて燃料タンク１２へのガス充填が行われる。そして、燃料タンク１２の充填圧力が目標圧力に達した場合には、高圧ガス蓄圧器６４のガスを供給せずにガス供給を終了させる。また、（1）前回行われたガス供給終了から今回のガス供給開始までの時間間隔、（2）前回行われたガス供給開始から前回のガス供給終了までの供給時間、（3）前回行われたガス供給終了から今回のガス供給開始までのコンプレッサ運転時間、の何れかを予め設定された規定値と比較して切り換えタイミングを遅らせて可変圧ガス蓄圧器６２によるガス供給をなるべく延長する。
【００２６】
そして、燃料タンク１２の充填圧力が目標圧力に達しないまま供給量が低下した場合には、高圧ガス蓄圧器６４の元弁６８を開弁して燃料タンク１２の充填圧力を目標圧力まで充填する。
【００２７】
これにより、燃料タンク１２へのガスの供給元を、できるだけ可変圧ガス蓄圧器６２に保ち、高圧ガス蓄圧器６４に切り換える回数を減らして、コンプレッサ７０から高圧ガス蓄圧器６４へガス補給する時間を短縮する。
【００２８】
ディスペンサユニット１５には、ガス貯蔵部１４に連通されたガス供給経路１８が設けられており、ガス供給経路１８には、１次圧力計２０、流量計（流量計測部）２２、ガス供給開閉弁２４、制御弁２６、温度センサ２８、圧力センサ（圧力計測部）３０、２次圧力計３２、安全弁３４が配設されている。
【００２９】
さらに、ガス供給経路１８の下流には、緊急離脱カップリング４２を介して充填ホース４４が接続されている。そして、充填ホース４４の先端には、燃料タンク１２の被充填側カプラ１２ａに結合される充填側カプラ４６が設けられている。また、燃料タンク１２と被充填側カプラ１２ａとの間には、逆流を防止する逆止弁１３が設けられている。
【００３０】
また、ディスペンサユニット１５には、充填側カプラ４６が燃料タンク１２の被充填側カプラ１２ａに結合されて操作される充填開始スイッチ５０と、充填を停止する充填停止スイッチ５２とが設けられている。
【００３１】
可変圧ガス蓄圧器６２及び高圧ガス蓄圧器６４は、コンプレッサ７０により圧縮されたガスを蓄圧する容器であり、コンプレッサ７０の吐出口に連通されたガス供給経路７１，７５を介して圧縮されたガスが供給される。ガス供給経路７１，７５には、夫々電磁弁からなる開閉弁７２，７６と逆流を防止する逆止弁７４，７８が設けられている。また、コンプレッサ７０は、多段圧縮方式のコンプレッサであり、吸い込み口が吸い込み経路７９を介して都市ガスの中圧配管８０に連通されている。コンプレッサ７０により圧縮されたガスは、開閉弁７２，７６のうち開弁された方の経路を介して可変圧ガス蓄圧器６２または高圧ガス蓄圧器６４の何れかに供給される。
【００３２】
コンプレッサ７０は、可変圧ガス蓄圧器６２及び高圧ガス蓄圧器６４の圧力が予め設定された圧力に昇圧するまで運転が継続される。そのため、ガス供給を受ける顧客が来ない場合には、コンプレッサ７０の運転を停止させる場合があり、コンプレッサ７０の運転状況を監視することにより、到着した顧客の有無を間接的に知ることが可能になる。
【００３３】
可変圧ガス蓄圧器６２のガス供給経路６７には、元弁（切換手段）６６と逆流を防止する逆止弁６９が設けられている。また、高圧ガス蓄圧器６４のガス供給経路６５には、元弁（切換手段）６８が設けられている。
【００３４】
この元弁６６または元弁６８、ガス供給開閉弁２４、制御弁２６は、燃料タンク１２へのガス供給開始により開弁され、ガス供給終了により閉弁されるため、各弁の開弁から閉弁されるまでの前回の供給時間、または各弁の前回閉弁から今回開弁までの時間間隔を演算することにより、可変圧ガス蓄圧器６２からのガス供給量を推測して可変圧ガス蓄圧器６２によるガス供給をなるべく延長することが可能になる。
【００３５】
制御装置１６のメモリ４８には、制御弁１６、ガス供給開閉弁２４、元弁６６、元弁６８の開弁または閉弁を制御する制御プログラムと、予め設定された上記充填時間間隔の規定時間（第１、第２の規定時間）が格納されている。また、メモリ４８には、前回行われたガス供給終了時刻から今回のガス供給開始時刻までの時間間隔を求める制御プログラム（時間間隔演算手段）と、演算された時間間隔に基づき切換手段によるガス蓄圧器の切換タイミングでの切り換えを禁止する制御プログラム（切換禁止手段）と、が格納されている。
そして、制御装置１６は、メモリ４８に格納された制御プログラムにしたがって燃料タンク１２へのガス充填制御を行う。
【００３６】
図２は制御装置１６に接続された各機器を示すブロック図である。図２に示されるように、制御装置１６は、流量計２２、ガス供給開閉弁２４、制御弁２６、温度センサ２８、圧力センサ３０、メモリ４８、充填開始スイッチ５０、充填停止スイッチ５２、開閉弁７２，７６、元弁６６，６８と接続されている。
【００３７】
また、流量計２２は、コリオリ式質量流量計からなり、供給されたガスの流量に応じた信号を制御装置１６に出力する。
【００３８】
また、ガス供給開閉弁２４、元弁６６、元弁６８は、電磁弁からなり、制御装置１６からの開弁信号のオン、オフにより開弁または閉弁される。
【００３９】
また、制御弁２６は、制御装置１６の指令により任意の弁開度に調整され、予め設定された制御則に基づいてガスの圧力または流量を制御するように動作する。
【００４０】
ここで、制御装置１６が実行するガス充填制御処理１について図３のフローチャートを参照して説明する。作業員は、ガス充填を受ける自動車が到着すると、充填側カプラ４６を燃料タンク１２の被充填側カプラ１２ａに結合させた後、充填開始スイッチ５０をオンに操作する。
【００４１】
図３に示されるように、制御装置１６は、Ｓ１１で充填開始スイッチ５０がオンに操作されると、Ｓ１２に進み、可変圧ガス蓄圧器６２の元弁６６、ガス供給開閉弁２４、制御弁２６を開弁する。
【００４２】
次のＳ１３では、前回の充填終了時刻から今回の充填開始時刻を差し引いて充填時間間隔を演算する。続いて、Ｓ１４に進み、予め設定された上記充填時間間隔の第１の規定時間（本実施例では、１０分間）をメモリ４８から読み出す。Ｓ１５では、充填時間間隔が第１の規定時間未満か否かをチェックする。
【００４３】
このＳ１５において、充填時間間隔が第１の規定時間未満の場合には、Ｓ１６に進み、圧力センサ３０により検出された充填圧力が目標圧力に達したか否かをチェックする。Ｓ１６において、充填圧力が目標圧力に達したときは、Ｓ１７に進み、流量計２２により計測された流量計測値が予め設定された所定流量Ｑ２未満か否かをチェックする。
【００４４】
Ｓ１７において、流量計測値が所定流量Ｑ２以上の場合は、上記Ｓ１６に戻り、圧力センサ３０により検出された充填圧力が目標圧力に達したか否かをチェックする。尚、Ｓ１６で充填圧力が目標圧力に達した場合は、Ｓ２２に移行して可変圧ガス蓄圧器６２の元弁６６、ガス供給開閉弁２４、制御弁２６を閉弁し、ガス供給を停止させる。
【００４５】
また、上記Ｓ１７において、流量計測値が所定流量Ｑ２未満の場合は、ガス供給流量が微小流量に減少しているので、Ｓ１８に進み、可変圧ガス蓄圧器６２の元弁６６を閉弁し、高圧ガス蓄圧器６４の元弁６８を開弁させる。これにより、ガス供給源が可変圧ガス蓄圧器６２から高圧ガス蓄圧器６４へ切り換えられ、高圧ガス蓄圧器６４からのガスが燃料タンク１２に供給されるため、短時間で燃料タンク１２の圧力が昇圧する。
【００４６】
次のＳ１９では、圧力センサ３０により検出された充填圧力が目標圧力に達したか否かをチェックする。Ｓ１９において、充填圧力が目標圧力に達したときは、Ｓ２０に進み、高圧ガス蓄圧器６４の元弁６８、ガス供給開閉弁２４、制御弁２６を閉弁し、ガス供給を停止させる。
【００４７】
また、上記Ｓ１５において、充填時間間隔が第１の規定時間（＝例えば、１０分間）以上の場合には、コンプレッサ７０による可変圧ガス蓄圧器６２へのガス補給が十分行われているため、高圧ガス蓄圧器６４への切り換えを禁止し、可変圧ガス蓄圧器６２のみによるガス供給を継続する。
【００４８】
そして、Ｓ２１に進み、圧力センサ３０により検出された充填圧力が目標圧力に達したか否かをチェックする。Ｓ２１において、充填圧力が目標圧力に達したときは、Ｓ２２に進み、可変圧ガス蓄圧器６２の元弁６６、ガス供給開閉弁２４、制御弁２６を閉弁し、ガス供給を停止させる。
【００４９】
このように、本実施例では、上記Ｓ１５において、充填時間間隔が第１の規定時間以上の場合には、コンプレッサ７０による可変圧ガス蓄圧器６２へのガス補給が十分行われているため、通常の切り換えタイミングによる高圧ガス蓄圧器６４のガス供給を禁止して、次の顧客の車両が到着した場合のガス充填に備えることができる。
【００５０】
次に、制御装置１６が実行するガス充填制御処理２について図４のフローチャートを参照して説明する。尚、図４において、前述した図３の処理と同一処理の箇所は、同じ番号を付してその説明を省略する。
【００５１】
図４に示されるように、制御装置１６は、Ｓ１４において、予め設定された上記充填時間間隔の第２の規定時間（例えば、２分間）をメモリ４８から読み出す。Ｓ１５ａでは、充填時間間隔が第２の規定時間以上か否かをチェックする。尚、第２の規定時間よりも、前述した第１の規定時間の方が長い時間に設定されている。
【００５２】
このＳ１５ａにおいて、充填時間間隔が第２の規定時間以上の場合には、顧客の到着時間間隔に余裕があるため、Ｓ１６〜Ｓ２０の処理を行う。すなわち、Ｓ１７で流量計測値が所定流量Ｑ２未満の場合は、Ｓ１８で、可変圧ガス蓄圧器６２の元弁６６を閉弁し、高圧ガス蓄圧器６４の元弁６８を開弁させ、ガス供給源を可変圧ガス蓄圧器６２から高圧ガス蓄圧器６４へ切り換える。このように、ガス供給流量が微小流量に減少した場合には、高圧ガス蓄圧器６４からのガスが燃料タンク１２に供給され、短時間で燃料タンク１２の圧力が昇圧する。
【００５３】
また、上記Ｓ１５ａにおいて、充填時間間隔が第２の規定時間未満の場合（例えば、２分間以内）には、通常の切り換えタイミングによる高圧ガス蓄圧器６４への切り換えを禁止して可変圧ガス蓄圧器６２によるガス供給を継続する。尚、充填時間間隔が短い場合は、複数の車両に対するガス供給が連続している場合である。
【００５４】
このように、本実施例では、上記Ｓ１５ａにおいて、充填時間間隔が第２の規定時間未満の場合には、高圧ガス蓄圧器６４への切り換えを禁止して高圧ガス蓄圧器６４の圧力低下を防止するため、可変圧ガス蓄圧器６２によるガス供給のみによるガス供給を継続して、後続のガス供給に備えることができる。
【００５５】
次に、制御装置１６が実行するガス充填制御処理３について図５のフローチャートを参照して説明する。尚、図５において、前述した図３の処理と同一処理の箇所は、同じ番号を付してその説明を省略する。
【００５６】
図５に示されるように、制御装置１６は、Ｓ１４において、予め設定された上記充填時間間隔の第１の規定時間（例えば、１０分間）をメモリ４８から読み出す。Ｓ１５では、充填時間間隔が規定時間未満か否かをチェックする。
【００５７】
このＳ１５において、充填時間間隔が第１の規定時間未満の場合には、Ｓ１６〜Ｓ２０の処理を行う。すなわち、Ｓ１７で流量計測値が所定流量Ｑ２未満の場合は、ガス供給流量が微小流量に減少しているので、Ｓ１８で、可変圧ガス蓄圧器６２の元弁６６を閉弁し、高圧ガス蓄圧器６４の元弁６８を開弁させ、ガス供給源を可変圧ガス蓄圧器６２から高圧ガス蓄圧器６４へ切り換える。これにより、高圧ガス蓄圧器６４からのガスが燃料タンク１２に供給され、短時間で燃料タンク１２の圧力が昇圧する。
【００５８】
また、上記Ｓ１５において、充填時間間隔が第１の規定時間（例えば、１０分間）以上の場合には、可変圧ガス蓄圧器６２の圧力が十分あるため、通常の切り換えタイミングによる高圧ガス蓄圧器６４への切り換えを禁止して可変圧ガス蓄圧器６２によるガス供給を継続する。
【００５９】
そして、Ｓ２１に進み、圧力センサ３０により検出された充填圧力が目標圧力に達したか否かをチェックする。Ｓ２１において、充填圧力が目標圧力に達していないときは、Ｓ21-1に進み、流量計２２により計測された流量計測値が予め設定された所定流量Ｑ１未満か否かをチェックする。尚、所定流量Ｑ１，Ｑ２の関係は、Ｑ１＜Ｑ２である。
【００６０】
Ｓ21-1において、流量計測値が所定流量Ｑ１以上のときは、上記Ｓ２１に戻り、Ｓ２１以降の処理を繰り返す。また、Ｓ21-1において、流量計測値が所定流量Ｑ１未満のときは、Ｓ１８に進み、可変圧ガス蓄圧器６２の元弁６６を閉弁し、高圧ガス蓄圧器６４の元弁６８を開弁させて高圧ガス蓄圧器６４に切り換える。このように、上記Ｓ１５において、充填時間間隔が第１の規定時間（例えば、１０分間）以上の場合でも、流量計測値が所定流量Ｑ１未満のときは、ガス供給源を高圧ガス蓄圧器６４に切り換えてガス供給時間を短縮することができる。
【００６１】
また、上記Ｓ２１、Ｓ１６において、充填圧力が目標圧力に達したときは、Ｓ２２に進み、可変圧ガス蓄圧器６２の元弁６６、ガス供給開閉弁２４、制御弁２６を閉弁して、ガス供給を停止する。
【００６２】
このように、本実施例では、上記Ｓ１７において、流量計測値が所定流量Ｑ２未満のときは、Ｓ１８でガス供給源を可変圧ガス蓄圧器６２から高圧ガス蓄圧器６４に切り換えて充填時間を短縮する。この場合、燃料タンク１３の充填圧力が目標圧力に近づいた時点で高圧ガス蓄圧器６４に切り換えるため、高圧ガス蓄圧器６４からのガス供給量が少なくて済む。
【００６３】
また、本実施例では、上記Ｓ21-1において、流量計測値が所定流量Ｑ１未満に減少したときは、ガス供給源を可変圧ガス蓄圧器６２から高圧ガス蓄圧器６４に切り換えるため、充填時間を短縮することができる。
【００６４】
次に、制御装置１６が実行するガス充填制御処理４について図６のフローチャートを参照して説明する。尚、図６において、前述した図４の処理と同一処理の箇所は、同じ番号を付してその説明を省略する。
【００６５】
図６に示されるように、制御装置１６は、Ｓ１４において、予め設定された上記充填時間間隔の第２の規定時間（例えば、２分間）をメモリ４８から読み出す。Ｓ１５ａでは、充填時間間隔が第２の規定時間以上か否かをチェックする。
【００６６】
このＳ１５ａにおいて、充填時間間隔が第２の規定時間以上の場合には、Ｓ１６〜Ｓ２０の処理を行う。すなわち、ガス供給源を可変圧ガス蓄圧器６２から高圧ガス蓄圧器６４に切り換える。これにより、燃料タンク１２には、高圧ガス蓄圧器６４からのガスが供給され、短時間で燃料タンク１２の圧力が目標圧力に昇圧する。
【００６７】
また、上記Ｓ１５ａにおいて、充填時間間隔が第２の規定時間（例えば、２分間）未満の場合には、通常の切り換えタイミングによる高圧ガス蓄圧器６４への切り換えを禁止して可変圧ガス蓄圧器６２によるガス供給を継続する。この場合、高圧ガス蓄圧器６４のガスを充填してしまうと高圧ガス蓄圧器６４の圧力を昇圧させるのに時間がかかり、後続車両へのガス供給が遅れるので、高圧ガス蓄圧器６４への切り換えを行わないようにする。
【００６８】
そして、Ｓ２１、Ｓ21-1の処理を行い、Ｓ21-1において、流量計測値が所定流量Ｑ１未満のときは、Ｓ１８に進み、ガス供給源を可変圧ガス蓄圧器６２から高圧ガス蓄圧器６４に切り換える。これにより、燃料タンク１２には、高圧ガス蓄圧器６４からのガスが供給され、短時間で燃料タンク１２の圧力が目標圧力に昇圧する。
【００６９】
このように、本実施例では、上記Ｓ１７において、流量計測値が所定流量Ｑ２未満のときは、Ｓ１８でガス供給源を可変圧ガス蓄圧器６２から高圧ガス蓄圧器６４に切り換えて充填時間を短縮すると共に、Ｓ21-1において、流量計測値が所定流量Ｑ１未満のときは、ガス供給源を可変圧ガス蓄圧器６２から高圧ガス蓄圧器６４に切り換えるため、充填時間を短縮することができる。
【００７０】
次に、制御装置１６が実行するガス充填制御処理５について図７のフローチャートを参照して説明する。尚、図７において、前述した図６の処理と同一処理の箇所は、同じ番号を付してその説明を省略する。
【００７１】
図７に示されるように、制御装置１６は、Ｓ１２で可変圧ガス蓄圧器６２の元弁６６、ガス供給開閉弁２４、制御弁２６を開弁した後、Ｓ１２ａに進み、前前回の充填終了時刻から前回の充填開始時刻を差し引いて前回の充填時間間隔を演算する。続いて、Ｓ１２ｂに進み、前回の充填時間間隔をメモリ４８に記憶する。
【００７２】
そして、Ｓ１３では、前回の充填終了時刻から今回の充填開始時刻を差し引いて今回の充填時間間隔を演算する。続いて、Ｓ１４に進み、予め設定された上記充填時間間隔の第２の規定時間（例えば、２分間）をメモリ４８から読み出す。次のＳ１５ｂでは、前回の充填時間間隔または今回の充填時間間隔が第２の規定時間以上か否かをチェックする。
【００７３】
Ｓ１５ｂにおいて、前回の充填時間間隔または今回の充填時間間隔が第２の規定時間以上の場合には、今回だけでなく前回も到着時間間隔に余裕があるため、Ｓ１６〜Ｓ１７の処理を行い、Ｓ１７において、充填圧力が目標圧力に達していないときは、Ｓ１８に進み、ガス供給源を可変圧ガス蓄圧器６２から高圧ガス蓄圧器６４に切り換えるため、充填時間を短縮することができる。
【００７４】
また、上記Ｓ１５ｂにおいて、前回の充填時間間隔及び今回の充填時間間隔が第２の規定時間未満の場合には、前回も今回も規定時間内に車両が連続して到着してガス供給を受けているので、通常の切り換えタイミングによる高圧ガス蓄圧器６４への切り換えを禁止して可変圧ガス蓄圧器６２によるガス供給を継続する。
【００７５】
そして、Ｓ２１、Ｓ21-1の処理を行い、Ｓ21-1において、流量計測値が所定流量Ｑ１未満のときは、Ｓ１８に進み、ガス供給源を可変圧ガス蓄圧器６２から高圧ガス蓄圧器６４に切り換える。
【００７６】
このように、本実施例では、上記Ｓ１５ｂにおいて、前回の充填時間間隔または今回の充填時間間隔が規定時間以上か否かをチェックすることにより、過去にガス供給を受けている顧客の時間間隔から可変圧ガス蓄圧器６２及び高圧ガス蓄圧器６４の圧力低下を推測して高圧ガス蓄圧器６４への切り換えの有無を判断することができ、切り換えタイミングをより適切なタイミングで切り換えることができる。
【００７７】
次に、制御装置１６が実行するガス充填制御処理７について図８のフローチャートを参照して説明する。尚、図８において、前述した図７の処理と同一処理の箇所は、同じ番号を付してその説明を省略する。
【００７８】
制御装置１６のメモリ４８には、コンプレッサ７０が駆動されているか否かの駆動状態を検出する制御プログラム（コンプレッサ駆動状態検出手段）と、当該コンプレッサ７０が駆動されていないことが検出されている場合には、当該コンプレッサ７０が駆動している状態における切換タイミングでの切り換えを禁止する制御プログラム（切換禁止手段）とが格納されている。
【００７９】
図８に示されるように、制御装置１６は、Ｓ１２で可変圧ガス蓄圧器６２の元弁６６、ガス供給開閉弁２４、制御弁２６を開弁した後、Ｓ１４ａに進み、コンプレッサ７０の駆動信号を読み込む。次のＳ１５ｄにおいて、コンプレッサ７０の駆動信号が出力されているときは、Ｓ１６〜Ｓ１７の処理を行う。すなわち、コンプレッサ７０が駆動中のときは、可変圧ガス蓄圧器６２が圧力低下しているものと推測できるので、Ｓ１７において、充填圧力が目標圧力に達していないときは、Ｓ１８に進み、ガス供給源を可変圧ガス蓄圧器６２から高圧ガス蓄圧器６４に切り換える。これにより、高圧ガス蓄圧器６４からのガスが燃料タンク１２に供給され、燃料タンク１２の圧力が短時間で目標圧力に昇圧する。
【００８０】
また、Ｓ１５ｄにおいて、コンプレッサ７０の駆動信号が出力されていないときは、通常の切り換えタイミングによる高圧ガス蓄圧器６４への切り換えを禁止して可変圧ガス蓄圧器６２によるガス供給を継続する。すなわち、コンプレッサ７０が駆動されていないときは、可変圧ガス蓄圧器６２の圧力が目標圧力に達しているものと推測できるので、高圧ガス蓄圧器６４への切り換えを行わない。
【００８１】
そして、Ｓ２１、Ｓ21-1の処理を行い、Ｓ21-1において、流量計測値が所定流量Ｑ１未満のときは、Ｓ１８に進み、ガス供給源を可変圧ガス蓄圧器６２から高圧ガス蓄圧器６４に切り換えて、燃料タンク１２の圧力を短時間で昇圧させる。
【００８２】
このように、本実施例では、コンプレッサ７０が運転中の場合には、可変圧ガス蓄圧器６２の圧力低下が生じているものと推測できるので、高圧ガス蓄圧器６４への切り換えを判断することができ、コンプレッサ７０が駆動されていないときは通常の切り換えタイミングによる高圧ガス蓄圧器６４への切り換えを禁止して可変圧ガス蓄圧器６２によるガス供給を継続することで高圧ガス蓄圧器６４の圧力低下を抑制することができる。
【産業上の利用可能性】
【００８３】
尚、上記実施例では、都市ガスを圧縮した圧縮天然ガス（ＣＮＧ）を供給する場合を一例として挙げたが、これに限らず、例えばブタン、プロパン等のガス、あるいは燃料電池車で消費される水素ガスを供給するにも適用できるのは勿論である。
【００８４】
また、上記実施例では、自動車の燃料タンクに圧縮されたガスを充填する場合を一例として挙げたが、これに限らず、他の容器等に圧縮されたガスを供給する装置にも適用でき、あるいは単に圧縮されたガスを他の場所に給送するための管路途中に設置する構成の装置にも適用できるのは勿論である。
【図面の簡単な説明】
【００８５】
【図１】本発明になるガス供給装置の一実施例を示す概略構成図である。
【図２】制御装置１６に接続された各機器を示すブロック図である。
【図３】制御装置１６が実行するガス充填制御処理１を説明するためのフローチャートである。
【図４】制御装置１６が実行するガス充填制御処理２を説明するためのフローチャートである。
【図５】制御装置１６が実行するガス充填制御処理３を説明するためのフローチャートである。
【図６】制御装置１６が実行するガス充填制御処理４を説明するためのフローチャートである。
【図７】制御装置１６が実行するガス充填制御処理５を説明するためのフローチャートである。
【図８】制御装置１６が実行するガス充填制御処理６を説明するためのフローチャートである。
【符号の説明】
【００８６】
１０  ガス供給装置
１２  燃料タンク
１４  ガス貯蔵部
１５  ディスペンサユニット
１６  制御装置
１８  ガス供給経路
２２  流量計
２４  ガス供給開閉弁
２６  制御弁
３０  圧力センサ
５０  充填開始スイッチ
６２  可変圧ガス蓄圧器
６４  高圧ガス蓄圧器
６６，６８  元弁
【図１】
2007120571.tif 000003
【図２】
2007120571.tif 000004
【図３】
2007120571.tif 000005
【図４】
2007120571.tif 000006
【図５】
2007120571.tif 000007
【図６】
2007120571.tif 000008
【図７】
2007120571.tif 000009
【図８】
2007120571.tif 000010